(57)【要約】【課題】一つのケースで幾通りかのセット商品を包装することができる多機能ケースを提供する。【解決手段】底片Ｂの下方に側壁形成片Ｓ１、高さ調整片Ｒ１、上部覆い片Ｃ１、仕切り片Ａ１，巻き込み片Ｉ１を折り畳み線を介して順に連設し、底片Ｂの上方に側壁形成片Ｓ２、高さ調整片Ｒ２、上部覆い片Ｃ２、仕切り片Ａ２，巻き込み片Ｉ２を折り畳み線を介して順に連設し、底片Ｂの左方に側壁形成片Ｓ３、高さ調整片Ｒ３、蓋フラップＦ３を折り畳み線を介して連設し、底片Ｂの右方に側壁形成片Ｓ４、高さ調整片Ｒ４、蓋フラップＦ４を折り畳み線を介して連設し、上記上部覆い片Ｃ１の左縁寄りに切り起こしＤ２を設け、上記仕切り片Ａ１から上部覆い片Ｃ１側に向けて仕切り片Ａ１幅の２倍長さの切り込みＥを入れ、この切り込みＥの端から右縁に向け上記折り畳み線と平行な折り畳み線を設けて折り起こしＤ１としたブランクを折り畳み、組み立ててなる。【選択図】図１
0003107024.tif 000002
【実用新案登録請求の範囲】
【請求項１】
底片Ｂの下方に側壁形成片Ｓ１、上部覆い片Ｃ１、仕切り片Ａ１，巻き込み片Ｉ１を、折り畳み線を介して順に連設し、底片Ｂの上方に側壁形成片Ｓ２、上部覆い片Ｃ２、仕切り片Ａ２，巻き込み片Ｉ２を折り畳み線を介して順に連設し、底片Ｂの左方に側壁形成片Ｓ３、蓋フラップＦ３を折り畳み線を介して連設し、底片Ｂの右方に側壁形成片Ｓ４、蓋フラップＦ４を折り畳み線を介して連設し、上記上部覆い片Ｃ１の左縁寄りに切り起こしＤ２を設け、上記仕切り片Ａ１から上部覆い片Ｃ１側に向けて仕切り片Ａ１幅の２倍長さの切り込みＥを入れ、この切り込みＥの端から右縁に向け上記折り畳み線と平行な折り畳み線を設けて折り起こしＤ１としたブランクを折り畳み、組み立ててなる多機能ケース。
【請求項２】
側壁形成片Ｓ１と上部覆い片Ｃ１との間、側壁形成片Ｓ２と上部覆い片Ｃ２との間、側壁形成片Ｓ３と蓋フラップＦ３との間および側壁形成片Ｓ４と蓋フラップＦ４との間に高さ調整片Ｒ１、Ｒ２、Ｒ３、Ｒ４を介設してなる請求項１に記載の多機能ケース。
【請求項３】
上記蓋フラップＦ３，Ｆ４の上下方向寸法を、底片Ｂから僅かにはみ出るようにしてなる請求項１または２に記載の多機能ケース。
【考案の詳細な説明】
【技術分野】
【０００１】
この考案は、一つのケースで幾種類かの商品あるいはセット商品を包装することができる多機能ケースに関する。
【背景技術】
【０００２】
商品の配送形態の中には、書籍セット、書籍とヒデオテープとのセット、はがき・絵はがきセット（以下、絵はがきセットで代表する）とＤＶＤとのセットなどセット商品がケースに納められて配送されるものがあるが、これまで、こうしたセット商品の包装用ケースは、幾種類ものセット商品を一つのケースで対応するものは提供されていなかった。
【考案の開示】
【考案が解決しようとする課題】
【０００３】
上記状況に鑑みこの考案は、一つのケースで幾通りかのセット商品を包装することができる多機能ケースを提供することを課題とする。
【課題を解決するための手段】
【０００４】
上記課題を解決するためにこの考案は、底片Ｂの下方に側壁形成片Ｓ１、上部覆い片Ｃ１、仕切り片Ａ１，巻き込み片Ｉ１を折り畳み線を介して順に連設し、底片Ｂの上方に側壁形成片Ｓ２、上部覆い片Ｃ２、仕切り片Ａ２，巻き込み片Ｉ２を折り畳み線を介して順に連設し、底片Ｂの左方に側壁形成片Ｓ３、蓋フラップＦ３を折り畳み線を介して連設し、底片Ｂの右方に側壁形成片Ｓ４、蓋フラップＦ４を折り畳み線を介して連設し、上記上部覆い片Ｃ１の左縁寄りに切り起こしＤ２を設け、上記仕切り片Ａ１から上部覆い片Ｃ１側に向けて仕切り片Ａ１幅の２倍長さの切り込みＥを入れ、この切り込みＥの端から右縁に向け上記折り畳み線と平行な折り畳み線を設けて折り起こしＤ１としたブランクを折り畳み、組み立ててなる(請求項１）構成としたものであり、必要ならば側壁形成片Ｓ１と上部覆い片Ｃ１との間、側壁形成片Ｓ２と上部覆い片Ｃ２との間、側壁形成片Ｓ３と蓋フラップＦ３との間および側壁形成片Ｓ４と蓋フラップＦ４との間に高さ調整片Ｒ１、Ｒ２、Ｒ３、Ｒ４を介設し(請求項２）、さらに必要ならば、上記蓋フラップＦ３，Ｆ４の上下方向寸法を、底片Ｂから僅かにはみ出るようにしたものである。
【考案の効果】
【０００５】
上記の如く構成するこの考案によれば、大形の書籍、一冊を包装する。中形と小形の書籍を各一冊包装する。小形の書籍とＤＶＤまたはＣＤをそれぞれ包装する。ＤＶＤと絵はがきセットをそれぞれ包装する。ＣＤと絵はがきセットをそれぞれ包装する。というように多目的に使用することができる。
【考案を実施するための最良の形態】
【０００６】
次にこの考案に係る多機能ケースの実施の形態を、図面を参照しながら説明する。図１は、この考案に係る一実施形態のブランクを示し、底片Ｂの図面上、下方に側壁形成片Ｓ１、高さ調整片Ｒ１、上部覆い片Ｃ１、仕切り片Ａ１、巻き込み片Ｉ１を折り畳み線を介して順に連設し、底片Ｂの図面上、上方に側壁形成片Ｓ２、高さ調整片Ｒ２、上部覆い片Ｃ２、仕切り片Ａ２、巻き込み片Ｉ２を折り畳み線を介して順に連設し、底片Ｂの左方に側壁形成片Ｓ３、高さ調整片Ｒ３、蓋フラップＦ３を折り畳み線を介して連設し、底片Ｂの右方に側壁形成片Ｓ４、高さ調整片Ｒ４、蓋フラップＦ４を折り畳み線を介して連設し、上記上部覆い片Ｃ１の左縁寄りに切り起こしＤ２を設け、上記仕切り片Ａ１の右寄り(必ず右寄りである必要はなく中間でもよい）に、右縁と平行（必ず平行を要せず、斜めでもよい）で上部覆い片Ｃ１側に向けて仕切り片Ａ１幅の２倍長さの切り込みＥを入れ、この切り込みＥの端から右縁に向け上記折り畳み線と平行な折り畳み線を設けて折り起こしＤ１としたものである。
【０００７】
また、上記蓋フラップＦ３，Ｆ４、高さ調整片Ｒ３，Ｒ４および側壁形成片Ｓ３，Ｓ４の高さ方向の寸法は、ケースを起こしたとき底片Ｂから僅かにはみ出るように大きくして、蓋フラップＦ３，Ｆ４が上部覆い片Ｃ１，Ｃ２上に被さるようにしている。
【０００８】
次に本考案の多機能ケースの使用例を順次説明する。先ず、図１のブランクの底片Ｂに大形の書籍を置き、側壁形成片Ｓ１と上部覆い片Ｃ１を折り畳み、仕切り片Ａ１と巻き込み片Ｉ１は折り畳まないで書籍の上に被せ、次いで、側壁形成片Ｓ２と上部覆い片Ｃ２を折り畳み、仕切り片Ａ２と巻き込み片Ｉ２は折り畳まないで上部覆い片Ｃ１などの上に被せ、
次いで、側壁形成片Ｓ３と蓋フラップＦ３、側壁形成片Ｓ４と蓋フラップＦ４を順次折り畳んで大形書籍の包装は完了する。なお、書籍が分厚いときは、高さ調整片Ｒ１〜Ｒ４によって調整することができる。
【０００９】
次に、中形の書籍と小形の書籍の包装の場合について説明する。上部覆い片Ｃ１の上に中形の書籍を置き、その上に仕切り片Ａ１と巻き込み片Ｉ１を折り畳み、次いで、その書籍と共に巻き込むように側壁形成片Ｓ１を折り畳み、底片Ｂの図面上、下側に中形書籍と共に配置する。
【００１０】
次に、小形の書籍を上部覆い片Ｃ２の上に置き、中形書籍と同様にして巻き込むようにして最終的に底片Ｂの図面上、上側に配置し、配置された中形書籍と小形書籍の上に側壁形成片Ｓ３と蓋フラップＦ３、側壁形成片Ｓ４と蓋フラップＦ４の順で各書籍の上に折り畳み中形と小形書籍の包装は完了する。
【００１１】
なお、小形書籍の縦方向の揺動を規制するために、上部覆い片Ｃ２にも切り起こしＤ２と同様のものを設けることもできる。また、小形書籍の収容に代えて絵はがきセットなど、この寸法に合ったものを包装することができる。
【００１２】
図２はＤＶＤと、はがきや書籍とを包装する状態を示し、上部覆い片Ｃ１に形成した切り起こしＤ２を切り起こし、仕切り片Ａ１と上部覆い片Ｃ1間に跨って形成した折り起こしＤ１は折り起こさずそのままの状態で、巻き込み片Ｉ１と仕切り片Ａ１と上部覆い片Ｃ１と側壁形成片Ｓ１の順で巻き込むようにして角筒形のＤＶＤを収容するスペースを形成する。なお、切り起こしＤ２、折り起こしＤ１の位置および大きさを調整することによりビデオテープの収納も可能になる。
【００１３】
一方、巻き込み片Ｉ２と仕切り片Ａ２と上部覆い形成片Ｃ２と側壁形成片Ｓ２を巻き込むようにして角筒形の書籍や絵はがきを収容するスペースを形成する。なお、ここで収容する商品の高さが大きいときは、高さ調整片Ｒ１，Ｒ２を活用する。
【００１４】
以上のようにして形成したそれぞれのスペースに該当する商品を収容し、側壁形成片Ｓ３、蓋フラップＦ３と、側壁形成片Ｓ４、蓋フラップＦ４を順次折り畳んで包装は完了する。
【００１５】
図３はＣＤと、はがきや書籍を包装する状態を示し、上部覆い片Ｃ１に形成した切り起こしＤ２を切り起こし、仕切り片Ａ１と上部覆い片Ｃ1間に跨って形成した折り起こしＤ１も折り起こした状態で、巻き込み片Ｉ１と仕切り片Ａ１と上部覆い片Ｃ１と側壁形成片Ｓ１の順で巻き込むようにして角筒形のＣＤを収容するスペースを形成する。
【００１６】
一方、巻き込み片Ｉ２と仕切り片Ａ２と上部覆い片Ｃ２と側壁形成片Ｓ２を巻き込むようにして角筒形の書籍や絵はがきを収容するスペースを形成する。なお、ここで収容する商品の高さが大きいときは、高さ調整片Ｒ１，Ｒ２を活用する。
【００１７】
以上のようにして形成したそれぞれのスペースに該当する商品を収容し、側壁形成片Ｓ３、蓋フラップＦ３と、側壁形成片Ｓ４、蓋フラップＦ４を順次折り畳んで包装は完了する。
【００１８】
なお、上記実施形態では、上部覆い片Ｃ２に切り起こしＤ２や折り起こしＤ１を設けていないが、必要に応じて適宜設けることができる。また、切り起こしＤ２や折り起こしＤ１を設けることにより、遊びの空間ができるが、この空間を利用して他の商品を収容することもできる。
【００１９】
また、上記実施形態ではＤＶＤやＣＤ、書籍や絵はがきを収容することについて説明したが、各部分の寸法を適宜決定することにより、この他の各種のセット商品の包装に利用することができる。
【産業上の利用可能性】
【００２０】
以上説明したとおりこの考案によれば、一つのケースで各種のセット商品を包装することができ、また、各種のセット商品を包装しているにも拘わらず、ケースの外形形状が統一されるので積み込みが確実に行えて、荷崩れが生ずるのを防止することができるので産業上の利用価値が高い。
【図面の簡単な説明】
【００２１】
【図１】この考案に係る多機能ケースの展開図
【図２】包装状態説明図（その１）
【図３】包装状態説明図（その２）
【符号の説明】
【００２２】
Ａ１，Ａ２  仕切り片
Ｂ  底片
Ｃ１，Ｃ２  上部覆い片
Ｄ１  折り起こし
Ｄ２  切り起こし
Ｅ  切り込み
Ｆ３，Ｆ４  蓋フラップ
Ｉ１，Ｉ２  巻き込み片
Ｒ１，Ｒ２，Ｒ３，Ｒ４  高さ調整片
Ｓ１，Ｓ２，Ｓ３，Ｓ４  側壁形成片
【図１】
0003107024.tif 000003
【図２】
0003107024.tif 000004
【図３】
0003107024.tif 000005